(57)【要約】      （修正有）【課題】実質臓器内の細径管と消化管との吻合技術において、それほど高度な熟練を要することなく吻合を行い、吻合に要する時間を短縮して、術者に与えるストレスを軽減する外科用吻合器を提供する。【解決手段】本体は、筒状部１２及び先端部１３を有し、先端側において内部に空洞部１５が形成され、空洞部の底部における孔から空洞部の底部より後方に本体の外周面の側孔１８に連なって外方に広がる経路を持つガイド部１が形成され、本体の筒状部の軸方向に貫通する通口１６が形成されており、本体に挿入される操作部材４は、通口１６内に挿入され先端が本体の空洞部内１５に達する棒状または筒状の操作杆７の先端側に、本体のガイド部内１に挿通される向きに延びる針２押込み部材６、操作把持部９を設け、１本のガイド部１内に必要な長さの糸３を接続した針２が留置され、本体の空洞部は操作杆の針押込み部材が吻合に必要な行程だけ移動できる空間を与える。【選択図】図１
2007301340.tif 000002
【特許請求の範囲】
【請求項１】
筒状部及び滑らかな先細り形状の先端部を有する本体であって、前記本体の先端側において内部に空洞部が形成され、該空洞部の底部における少なくとも１つの孔から該空洞部の底部より後方において前記本体の外周面における少なくとも１つの側孔に連なって延び直線状または緩い曲線状の外方に広がる経路をなして延びる少なくとも１本のガイド部が形成され、前記本体の筒状部の軸方向に前記空洞部の底部と前記筒状部の後端面との間に貫通する通口が形成されている本体と、
前記本体の筒状部の軸方向に形成された通口内に挿入され先端が前記本体の空洞部内に達する棒状または筒状の操作杆と、該操作杆の先端側に取り付けられ前記本体のガイド部内に挿通される向きに延びる針押込み部材と、前記操作杆の後端側に取り付けられるかまたは一体的に形成された操作把持部とからなる操作部材と、
前記本体における少なくとも１本のガイド部内に留置されそれぞれ吻合に必要な長さの糸を接続した少なくとも１本の針と、
を備えてなり、前記本体の空洞部は前記操作部材の操作把持部を後方に引いて吻合を行う際に前記操作杆の先端側に取り付けられた針押込み部材が前記針に係合して押し込んで吻合を行うのに必要な行程だけ移動できるだけの空間を与えるものであることを特徴とする外科用吻合器。
【請求項２】
前記本体の先端部の先細り形状の部分の後側に続いて先広がり状の円錘面が形成され、該先広がり状の円錐面に前記本体の側孔が形成され、前記操作部材の先端側に取り付けられた針押込み部材が前記ガイド部を通って進む際に該ガイド部の広がる形状に応じられるように変形可能でかつ針を押し込める剛性を有する材料で形成されていることを特徴とする請求項１に記載の外科用吻合器。
【請求項３】
前記操作杆が棒状であって、前記本体の筒状部内面及び／または前記操作部材の操作杆の外面において、前記本体または操作杆の軸方向の溝が形成され、該溝に沿って前記針に接続された糸が前記本体の筒状部内の通口に沿って後方に導かれるようにしたことを特徴とする請求項１または２のいずれかに記載の外科用吻合器。
【請求項４】
前記操作部材の操作杆が筒状であるとともに前記操作部材の針押し込み部材が前記ガイド部を通って進む際に該ガイド部の広がる形状に応じられるように変形可能でかつ針を押し込める剛性を有する筒状の部材で形成され、該針押込み部材の先端側が支持部材により該操作杆の先端側に取り付けられて、前記針に取り付けられた糸が前記針押込み部材を通り抜けた後前記操作杆を先端側から後方に向かって通されるようにしたことを特徴とする
請求項１に記載の外科用吻合器。
【請求項５】
前記針が形状記憶合金により形成されたものであることを特徴とする請求項１〜４のいずれかに記載の外科用吻合器。
【請求項６】
前記本体の筒状部の内面と前記操作部材の操作杆の周面との一方に凸部が形成され、他方において該凸部を軸方向に案内するための溝が形成されていることを特徴とする請求項１〜５のいずれかに記載の外科用吻合器。
【請求項７】
前記本体の外周面における側孔に剥離可能なシートを貼り付けて閉塞したことを特徴とする請求項１〜６のいずれかに記載の外科用吻合記器。
【請求項８】
前記本体の後端部近くの位置と前記操作把持部とにわたって係脱可能な抜け止め部材を設けたことを特徴とする請求項１〜７のいずれかに記載の外科用吻合器。
【発明の詳細な説明】
【技術分野】
【０００１】
本発明は、外科用吻合器に関し、より詳細には、実質臓器細径管と消化管との吻合のように、体内の２つの器官の間での吻合を行うための医療用または獣医用に用いられる外科用吻合器に関する。
【背景技術】
【０００２】
例えば、消化器外科の臨床において、肝臓、膵臓などの実質臓器内の細径管、すなわち肝内胆管や膵管と消化管とを吻合する機会は多くある。その手技は、もともとの細径管の径の細さのみならず、実質臓器が固定されている故、十分な術野の展開が難しいなどの問題があった。
【０００３】
特に、膵頭十二指腸切除時の膵空腸吻合は、吻合部縫合不全が発生した場合、非常に危険とされる。従来、吻合部縫合不全を防ぐ目的で、主膵管内にチューブを留置し膵液のドレナージを体外に行っていた。
【０００４】
それに対し、膵管空腸全層吻合（粘膜吻合）は、膵実質の一部を含む膵管全層と空腸全層とを確実に吻合することにより、吻合部を通じた消化管内に膵液のドレナージを行うものであり、経験数の増加に伴って、縫合不全の発生率が低く、術後の吻合部狭窄の頻度も少ないことが判明し、最近では主流となっている。その際、残膵に随伴性膵炎を伴えば、通常、膵管は拡張・硬化し、粘膜吻合は比較的容易である。逆に、残膵機能が保たれているような症例では、残膵および主膵管は軟らかく、吻合時の膵断端における膵管径は２〜３ｍｍ程度と細くなる。この膵管と空腸全層とを損傷することなく６〜８針で吻合するためには、慎重かつ確実な運針が必要であるが、このように膵管径が細いため、従来の糸付き曲針では膵管の適切な位置に刺入しづらく、一旦刺入しても解剖学的な位置関係から術野を展開するのが困難なことが多く、どうしても術野が狭くなりがちで、針の彎曲に沿って持針器を操作しづらくなることがある。これは、拡大鏡を用いても回避できなかった。このように膵管と空腸との吻合は、熟練者にとっても非常にストレスを受ける手術操作であった。
【０００５】
また、縫合箇所が多いほど吻合に要する時間は長くなり、例えば８針の縫合・結紮の場合、４０分程度の時間が必要であった。
【０００６】
従来の吻合器として、次のような文献に開示されたものがあった。
【特許文献１】特開平９−２８９９９１号公報
【特許文献２】特開平１０−１１８０７８号公報
【特許文献３】特公平５−７９３３６号公報
【特許文献４】特開平４−２２６６４４号公報
【特許文献５】特表２００３−５０９１０２号公報  特許文献１、２は、縫合でなく、ステープルやクリップにより吻合を行うものであり、ステープル等が体内に長時間または永久的に残存するものであった。特許文献３は、縫合による吻合器が示されているが、これは直腸、食道等の巾着縫合によるものであり、適用箇所が限られ、実質臓器細径管と消化管との吻合のような場合には適合しないものであった。
【０００７】
特許文献４は、胃と食道との吻合部を陥入させて胃底壁を内側に曲げ、胃食道逆流の矯正を行うものであり、内側に曲げた胃底壁の部分をステープル止めし、陥入装置から針を突出させるものであって、吻合の手順としては複雑になるとともに、実質臓器細径管と消化管との吻合を行うには適切でない。
【０００８】
特許文献５は、移植血管の端部側を大動脈の側部に縫合する装置であり、縫合装置のハウジング内の縫合糸を接続した針が移植血管の端部近辺を通過し、ガイドチャンネルに沿って方向を変え、大動脈を通って手前側に戻されるようにしたものである。この針は形状記憶合金で形成され、曲線状のガイドチャンネルに沿って変形しながら進んで行くが、ガイドチャンネルは一度ハウジングの中心軸近辺に近づいた後放射方向に向きを変えるようにしており、ガイドチャンネルの曲率が大きくなり、針の材質としてこの曲率に従うことができる程度に柔軟な形状記憶合金を用いた場合には、実際上縫合ができなくなるという難点を有している。曲率をある程度大きくしようとすれば、ハウジングの径、寸法が大きくならざるを得ず、縫合の手術に適切なものではなくなる。
【０００９】
本発明者は、実質臓器細径管と消化管との吻合を行うのに適切な小型の寸法の割合に、針が進むガイド部の曲率がそれほど大きくならないようにガイド部を設け、より確実に吻合がなされるようにした外科用吻合器の発明について、特願２００４−３７２７２３号として出願した。ただし、この外科用吻合器においても、実際には吻合器として許容される形状、寸法の関係から、ガイド部の曲率が大きくならざるを得ず、設計上、操作上では難点を有していた。
【発明の開示】
【発明が解決しようとする課題】
【００１０】
膵頭十二指腸切除時における膵空腸吻合部の縫合不全の発生率は１０〜３０％であり、膵空腸吻合部の縫合不全は最悪の場合致死的要因となり得るものであり、膵管のような実質臓器内の細径管と消化管との吻合技術において、吻合すべき器官に与える損傷を極力少なくし、確実に吻合を行うこと、それほど高度な熟練を要することなく吻合を行い得ること、術者に与えるストレスを軽減することが望まれていた。また、例えば膵管と消化管の吻合の場合、吻合に要する時間が長くなると、膵液が漏れて他の器官に悪影響を及ぼすこと、麻酔時間が延長することなどにより、不都合が生じており、吻合に要する時間を極力短縮することが望まれていた。このために、従来提案されていた形状記憶合金製の変形可能な針を用いた吻合器として、実際に吻合手術に適切な寸法、形状のもので、かつ確実な運針を行うように針をガイドできるものを作成するには難点があった。
【課題を解決するための手段】
【００１１】
本発明は、前述の課題を解決すべくなしたものであり、本発明による外科用吻合器は、筒状部及び滑らかな先細り形状の先端部を有する本体であって、前記本体の先端側において内部に空洞部が形成され、該空洞部の底部における少なくとも１つの孔から該空洞部の底部より後方において前記本体の外周面における少なくとも１つの側孔に連なって延び直線状または緩い曲線状の外方に広がる経路をなして延びる少なくとも１本のガイド部が形成され、前記本体の筒状部の軸方向に前記空洞部の底部と前記筒状部の後端面との間に貫通する通口が形成されている本体と、前記本体の筒状部の軸方向に形成された通口内に挿入され先端が前記本体の空洞部内に達する棒状または筒状の操作杆と、該操作杆の先端側に取り付けられ前記本体のガイド部内に挿通される向きに延びる針押込み部材と、前記操作杆の後端側に取り付けられるかまたは一体的に形成された操作把持部とからなる操作部材と、前記本体における少なくとも１本のガイド部内に留置されそれぞれ吻合に必要な長さの糸を接続した少なくとも１本の針と、を備えてなり、前記本体の空洞部は前記操作部材の操作把持部を後方に引いて吻合を行う際に前記操作杆の先端側に取り付けられた針押込み部材が前記針に係合して押し込んで吻合を行うのに必要な行程だけ移動できるだけの空間を与えるようにしたものである。
【００１２】
前記本体の先端部の先細り形状の部分の後側に続いて先広がり状の円錘面が形成され、該先広がり状の円錐面に前記本体の側孔が形成され、前記操作部材の先端側に取り付けられた針押込み部材が前記ガイド部を通って進む際に該ガイド部の広がる形状に応じられるように変形可能でかつ針を押し込める剛性を有する材料で形成されるようにしてもよい。
【００１３】
前記操作杆が棒状であって、前記本体の筒状部内面及び／または前記操作部材の操作杆の外面において、前記本体または操作杆の軸方向の溝が形成され、該溝に沿って前記針に接続された糸が前記本体の筒状部内の通口に沿って後方に導かれるようにしてもよい。
【００１４】
前記操作部材の操作杆が筒状であるとともに前記操作部材の針押し込み部材が前記ガイド部を通って進む際に該ガイド部の広がる形状に応じられるように変形可能でかつ針を押し込める剛性を有する筒状の部材で形成され、該針押込み部材の先端側が支持部材により該操作杆の先端側に取り付けられて、前記針に取り付けられた糸が前記針押込み部材を通り抜けた後前記操作杆を先端側から後方に向かって通されるようにしてもよい。
【００１５】
前記針が形状記憶合金により形成されたものとしてもよい。
【００１６】
前記本体の筒状部の内面と前記操作部材の操作杆の周面との一方に凸部が形成され、他方において該凸部を軸方向に案内するための溝が形成されるようにしてもよい。
【００１７】
前記本体の外周面における側孔に剥離可能なシートを貼り付けて閉塞してもよい。
【００１８】
前記本体の後端部近くの位置と前記操作把持部とにわたって係脱可能な抜け止め部材を設けてもよい。
【発明の効果】
【００１９】
本発明による吻合器は、高度な熟練を要することなく、確実な運針を保証するものであり、吻合部縫合不全の発生率を格段に低減することができ、縫合不全を未然に防ぐ上で多大な効果を有するものである。また、細径管が細く、術野が狭くなりがちなことから術者が受けるストレスの軽減に大きく寄与するとともに、吻合に要する時間を格段に短縮することができるので、吻合に要する時間が長いために、臓器分泌液が漏れて他の器官に悪影響を及ぼすことが防止され、麻酔の作用時間との関係においてもより安全になる。さらに、吻合器として許容される形状、寸法の関係においてもガイド部の曲率を適度に小さくすることができ、吻合の動作の面でも有利になる。
【発明を実施するための最良の形態】
【００２０】
本発明に係る外科用吻合器の実施形態を図を参照して説明する。
【００２１】
図１の（ａ）〜（ｄ）は１本の針を装填する吻合器の構成を全体的には断面図として示したものであり、図１（ａ）は操作部材、（ｂ）は本体、（ｃ）は本体に操作部材を挿入した吻合器を示し、（ｄ）は（ｃ）の状態からさらに操作部材を後方に引いた状態の吻合器を示している。図１（ａ）において、操作部材４は、棒状または筒状の操作杆７と、操作杆７の先端側取り付けられた針押込み部材６と、操作杆７の後端側に取り付けられた把持部９とからなる。把持部９は操作杆７と一体的に形成してもよい。針押込み部材６は吻合の際に針を押込むのに必要な剛性を有するとともに、押込み動作においてある程度変形し得る材料、アルミニウムあるいは剛性が大きくある程度変形可能な剛性樹脂材料等で形成される。
【００２２】
図１（ｂ）において、吻合器の本体１１は図１（ａ）の操作部材４を挿入する構造となるものであり、筒状部１２と、その先方に連なる先細り形状の先端部１３とを有しており、外形は臓器内に挿入し易いように滑らかになっている。筒状部１２は長いので一部省いて示してある（以下において同様とする）。本体の先端部１３の内側には空洞部１５が形成され、筒状部１２には空洞部１５から本体の後端までに連通する通口１６が形成されている。
【００２３】
本体の先細り形状の先端部１３の後側に外方に広がる略円錐形状の面１４が形成され、この部分において側孔１８が形成され、先端部１３内の空洞部１５から側孔１８までが連通していて針のガイド部１になっている。ガイド部１は吻合前に針を収納し、吻合の際に針とその後端を押す針押込み部材６とを案内する作用をするものである。
【００２４】
吻合の際に針２は本体の側孔１８から緩く外方に広がる角度で進むのが望ましく、そのため針押込み部材が本体の先端側の空洞部１５の内面から側孔１８に続くガイド部１に沿って案内されつつ、外方に緩く広がるようにするのがよい。したがって、側孔１８からガイド１を経て空洞部１５の内面に続く部分の形状は針押込み部材６を緩く外方に広がる角度で進むようなものとするのが望ましい。また、本体の軸方向における空洞部１５の長さは、吻合の際に針押し部材６によって針を進める行程の分（例えば１０ｍｍ程度）だけを確保する必要がある。
【００２５】
ガイド部１の内径は針及び針押込み部材６の径より若干大きい内径となるように形成する。また、この例は針が１本装填される場合であるので、側孔１８は１つであり、外方に広がる略円錐形状の面１４は本体の筒状部１２の軸に対し一方の側に張り出した形になる。
【００２６】
図１（ｃ）は、（ｂ）の本体１１に（ａ）の操作部材４を挿入し、糸３のついた針２を装填した吻合器を全体的に示している。針２に接続された糸３はガイド部１から、本体の先端側内の空洞部１５を通って、筒状部１２内の通口１６内に導かれている。針２はガイド部１が直線状である場合には鋼等で形成されるが、ガイド部１に若干の曲率をもたせる場合には形状記憶合金により形成するのがよい。形状記憶合金として例えばＴｉＮｉ合金、超弾性ＴｉＮｉ合金が使用できる。針２は例えば長さ１０ｍｍ、糸３の接続される後端の径が０．５ｍｍ程度である。糸３は実質臓器細径管と消化管とを縫合するものであり、膵空腸の手術用に、体内で非吸収性材質の糸としてはポリプロピレン等の糸が用いられ、ある時間経過後に体内で吸収されるものとして、ナイロン、ポリエチレングリコール等の材質の糸を用いることができる。手術に使用できる具体的な糸３の大きさは、ＵＳＰ−２−０〜ＵＳＰ−５−０などが適宜使用できるが、糸３の大きさは手術を行う医者の判断に任せられている。
【００２７】
吻合の際に本体の後端側を把持するとして、本体１１の筒状部１２の後端から側孔１８までの距離は、本体１１の後端から針２が吻合の際に進む行程と本体を把持する部分とを合わせた長さ以上とする必要があり、その点と、本体の先端側の空洞部１５に必要な軸方向の長さとをもとに本体全体の長さが決定される。糸３の長さは吻合部分を針２貫通した後に糸３を結びつけるのに十分な長さとすることが必要である。
【００２８】
図１（ｄ）は、（ｃ）の状態から、吻合の際に操作部材４の把持部９を持って後方に引いた状態を示しており、操作部材４の操作杆７に取り付けられた針押込み部材６が後方に移動し、ガイド部１内に留置された針２をそれに接続された糸３とともに外方に押し出している。
【００２９】
図１（ａ）〜（ｄ）に示した吻合記では、針押込み部材６としてある程度剛性の大きい材料のものを用いていて、それほど大きく変形できないため、本体１１の先端部１３内のガイド部１は外方に緩く広がる状態で針を放出するような形状になる。したがって、先端部１３のガイド部１のある部分が外方に若干張り出た形状になる。この本体１１の先端部１３が張り出るのをなくすには、針押込み部材６として、針を押し込むのに必要な剛性を有しつつ、さらに大きく変形可能でもある剛性樹脂材料のもの用いればよい。
【００３０】
このような大きく変形可能な針押込み部材６を用いた場合、吻合器は図２（ａ）に示すように、先端部１３が外方に張り出さない形状にできる。この場合ガイド部１は、主として図２（ａ）で針２より右方に位置する面の曲線形状で針２，針押込み部材６をガイドすることになる。針２はガイド部１の曲線状部分に留置されるので曲針とする。この曲線形状は図１（ｂ）の場合より曲率が大きくなる。針２の左方の位置ではガイド部１の肉厚はある程度なくなっており、このため、側孔１８は側方から見て縦に長いスリット状になる。
【００３１】
図２（ａ）で操作杆７が上方にある状態では、針押込み部材６はガイド部１の曲線状部分に達しておらず、外方に広がっていない。操作杆７を下方に引くと針押込み部材６は、針押込み部材６の先端側からガイド部１の曲線形状に従って変形しつつガイド部１に従って糸のついた針２を押し出していき、図２（ｂ）のように糸のついた針２を放出する。
【００３２】
図３（ａ）は図１（ｃ）における本体の先端部における針及び針押込み部材の部分を拡大して示したものである。吻合前の状態で針２は本体の先端部１３のガイド部１内において側孔１８の近くで外方に出ない位置に留置されている。ガイド部１は針２がスムーズに通過できるように針２の径より若干大きい程度の内径であり、針２の径が０．５ｍｍの場合０．７ｍｍ程度として横方向になるべく揺れないようにする。針２を後端側から押す棒状の針押込み部材６も針２と同等の径を有するものとする。針押込み部材６が針２を後面側から押す状態で、針２の後端側に接続された糸３は側方に押しやられることになる。そのためガイド部１には、図３（ａ）のＢ−Ｂ線上にとった断面を示す図３（ｂ）のように、糸２が通るための溝部１ａが設けられる。針押込み部材６が針２を後端側から押す際に、糸はガイド部１に設けられた溝部１ａに寄せられて通過できるので、糸３を接続した針２の押込みがスムーズになされる。この点は、図２（ａ）に示したような場合でも同様である。
【００３３】
また、吻合を行う際に、本体１１に対して操作部材４を手前側に引いて針押込み部材６により糸３のついた針２を押込んでいくと、糸３は本体の筒状部内の通口１６内で先端部側に向かって進む。このため、通口１６内で糸３は操作部材４の操作杆７と逆の向きの動きになり、糸３は通口１６の内面と操作杆７の周面との間に挟まれて吻合のための動作に支障を与えがちになる。そのため、図１（ｃ）における本体の筒状部のＣ−Ｃ線上にとった断面を示す図３（ｃ）のように、操作杆７の周面において、その軸方向に平行な溝部７ａを設けておき、糸３がこの溝部７ａに沿って導かれるようにすれば、操作杆７と糸３との間での干渉が避けられる。この糸３が通る溝部７ａは操作杆７側に設けた例を示したが、通口１６の内面側に設けてもよく、あるいは、部分的に両方に設け、両方を合わせて糸の通路を与えるようにしてもよい。
【００３４】
さらに、図３（ｃ）において、本体の筒状部内の通口１６の内面側に軸方向の溝１２ａが形成され、これに対応する位置の操作杆７の周面に突起７ｂを形成したものを示している。これは操作部４を手前側に引く際に、操作部材４が本体１１に対して軸方向の周りに回転するのを防止するためのものである。基本的には操作部材４を確実に軸方向に引くことができれば問題はないが、若干でも軸方向の周りの回転が加わると、針押込み部材による針２の押込み動作がスムーズにできなくなる可能性があるので、このような操作部材４の軸周りの回転を防止する手段を適宜設けるのがよい。
【００３５】
吻合器は、図１（ｂ）の吻合器の本体１１のガイド部１に糸３の接続された針２を留置し、図１（ａ）の操作部材４を挿入して構成される（図２（ａ）のような場合も同様）。このように吻合器を構成するために、本体１１は一体型ではなく分割型に形成したものを、操作部材４の挿入後に一体的に接合するものであり、例えば本体１１を軸線を通る平面で２分割したものを接合する形態、あるいは筒状部１２と先端部１３とに分けたものを接合する形態とすることができる。操作部材４の把持部９は操作杆７と一体的に形成してもよいが、別個のものを取り付ける場合には、把持部９以外の操作部材４の部分を本体１１に挿入した後に最後に把持部９を取り付ければよい。
【００３６】
図４（ａ）は、複数本の針を装填する吻合器の構成を示すものであり、１本の針を装填する吻合記の場合と同じ番号により構成部分を示し、本体１１内に操作部材４を挿入した状態で示してある。装填する針の数は、吻合の際に同時に運針を行うための針の数であり、２本、４本、６本等、適宜の本数とする。本体１１において針が放出される側孔１８及びこれに続くガイド部１は軸方向の周りに等角度間隔で配設するのがよく、本体の先端部１３の形状は回転対称形になる。各ガイド部には図３（ｂ）に示すような糸３が導かれる溝部１ａが形成される。また、操作部材４の操作杆７の周面または本体の筒状部１２の内面において糸３が導かれる軸方向の溝部７ａを針２の本数と同数だけ設けておくのがよい。
【００３７】
操作部材４の操作杆７の先端側には、ガイド部１内に留置される針２を押込むための装填する針の本数と同数の棒状の針押込み部材６がガイド部１の方向に合うようにして固着される。
【００３８】
図４（ａ）に示すものでは、図１（ａ）〜（ｄ）の場合と同様に、針押込み部材６としてある程度剛性のある材料のものを用いており、そのために本体の先端部１３が外方に若干広がる形状になるが、針押込み部材６としてより剛性が低く変形し易い材料のものを用いることにより、ガイド部１の曲率を大きくして、図４（ｂ）に示すように本体の先端部１３が外方に広がらない形状にすることができる。この場合、各側孔１８は軸方向に長いスリット状の形状になり、針２はガイド部１の曲線形状部分に留置されるため曲針を用いる。
【００３９】
図５（ａ）〜（ｄ）は、操作部材４の操作杆７と針押込み部材６とを筒状にして構成した吻合の例であり、複数本の針を装填する場合を実質的に断面図で示している。図５（ａ）は、針だけを付随させた状態で操作部材４を示しており、この例による吻合器では、操作部材４の操作杆７と針押込み部材６とがそれぞれ筒状の部材で形成され、糸３がその筒状の部材内を通れるようにしてある。操作杆７は糸が通れるだけの内径を有し、実質的に変形しない剛性のものし、同時に運針する針の本数分だけ設けられる。
【００４０】
針押込み部材６は針２の径と同程度の外径を有し、内径は針２に接続された１本の糸が通過できる程度の大きさとする。また、ガイド部１を滑らかな曲線状とする場合に、針押込み部材６はガイド部に沿って屈曲する必要があり、針押込み部材６はガイド部１に沿って屈曲し得る可撓性を有するとともに、糸３のついた針２を押込めるだけの剛性を有する材料で形成する。針押込み部材６を操作杆７に取り付けるには、図５（ａ）のように、操作杆７の先端側に針押込み部材６の支持部材としてのフランジ部材５を取り付け、フランジ部材５に針押込み部材６を取り付ける。フランジ部材５には、針押込み部材６を取り付ける位置に孔が形成されており、この孔にそれぞれ針押込み部材６の端部側を挿入して固着する。
【００４１】
図５（ｂ）は吻合器の本体１１を実質的に中心軸を通る断面で示しているが、ガイド部１については概念的に示してある。本体１１は筒状部１２と、その先方に連なる先細り形状の先端部１３とを有しており、全体的に滑らかな外形になるように形成されている。本体１１の筒状部１２から先端部１３にかけての内部に空洞部１５が形成され、筒状部１２において中心の通口１６が空洞部１５と本体１１の後端との間に貫通するように形成されている。また、空洞部１５の底部における孔１７から本体の筒状部１１の周面における側孔１８に連なるガイド部１が同時に運針を行う針の本数分だけ形成されている。ガイド部１は空洞部１５の底部における孔１７から筒状部１２の周面における側孔１８に達し滑らかな通路をなすように形成される、また、同時に運針を行う針の数だけ形成される。
【００４２】
ガイド部１は内側に針を収納した状態から、直線状または緩く屈曲した経路に沿って針を案内する。図５（ｂ）では曲線状の経路のガイド部１になっており、空洞部１５の底部の孔１７から中心における通口１６を迂回し緩やかに旋回して下降する経路をたどって側孔１８に達し、糸３を接続した針２が側孔１８から本体の筒状部１２の周面に対して緩い角度をなして後方に広がるようなガイド部１の形状としておく。このように曲線状のガイド部１とする場合、針２は形状記憶合金で形成したものとするのがよい。また、本体１１内の空洞部１５は吻合の際に針を押し出す行程の分だけ操作部材４のフランジ部５が移動できる空間とすること、本対の筒状部１２の後端から側孔１８までの距離は本体１１の後端から針２が吻合の際に進む行程と本体を把持する部分とを合わせた長さ以上とすることは、前出の例の場合と同様である。
【００４３】
図５（ｃ）は図５（ｂ）の本体１１において直線Ｄ−Ｄにとった断面図であり、ガイド部１が６本設けられている場合を示している。図５（ｄ）は図５（ａ）に示した操作部材４を図５（ｂ）に示した本体１１に挿入した吻合器を示している。操作部４を本体１１に挿入する際に、針２に接続された糸３を、押込み部材６を通して、フランジ部５の穴８から操作杆７内に引き通し、針２の後端が押込み部材６の先端に当接する状態にし、同時に運針を行う分だけの針２を操作部材４に装填しておく。このように糸の接続された針２を付随させた操作部材４の操作杆７を、操作把持部９を取り付けない状態で、本体１１の通口１６に挿通するとともに、押込み部材６とその先端側にある針２とをそれぞれ開口１７からガイド部１に挿入し、針２の先端が側孔１８から外方に出ない程度に留置しておく。針２をガイド部１に挿入する段階で形状記憶合金で形成された針２はガイド部１の滑らかな屈曲形状に従って変形した状態になる。
【００４４】
また、各針２をガイド部１内に挿入し、操作杆７の後端が本体１１の後端より出てきた段階で、操作杆７の端部側に操作把持部９を取り付け、本体１１を接合して、図５（ｄ）に示されるように、吻合を行える状態になる。ただし、吻合開始の段階で、何らかの状況で針２が本体１１の側孔１８から外方に突出することを防止するために、側孔１８の外側に薄いシート（図示せず）を貼り付けておき、吻合を行う際にこのシートを取り外すようにするのがよい。
【００４５】
また、図５（ｄ）に示される状態から、何らかの作用で操作把持部９が引き出されると、針２が側孔１８から出ようとすることになるが、これを防止するために、本体１１の後端近くの位置に凹部１９を少なくとも１箇所形成しておき、操作把持部９にはこの凹部１９に係合する凸部を出没可能に設けた抜け止め部材９ａを取り付け、あるいは一体的に形成しておくのがよい。吻合を行う際には、この抜け止め部材９ａの凸部を凹部１９から外し、あるいは折る等により除去すれば、操作把持部９を引き出すことができる状態になる。
【００４６】
このように側孔１８の外側に薄いシートを貼り付けること、操作把持部９の抜け止め部材を設けることは、図１、２、４に示した吻合器の場合にも同様に適宜行えばよい。
【００４７】
以上の説明では、本発明の吻合器の代表的な例を示したが、本体や操作部材の形状について、さらに本発明の技術的思想において、変形した形態において実施できるものである。
［吻合の手順］
本発明の吻合器を用いた実質臓器内と消化管の吻合について、膵頭十二指腸切除時の残膵主膵管と空腸を吻合する手順を例として以下説明する。
【００４８】
（ａ）吻合予定の対側近傍の空腸に小孔を開口させ、その開口に吻合すべき残膵主膵管端を合わせるように引き寄せる。
（ｂ）糸３を接続した針２の運針を行う本数分だけ装填した吻合器を用意する。側孔１８をシートで塞いである場合は、シートを除去しておく。吻合器の本体１１の後方の部分を持って先端部１３を（ａ）で作製した小孔から挿入し、吻合予定の粘膜面から漿膜側へと貫通させ、目的の残膵主膵管内に挿入する（図６）。
（ｃ）次に、空腸漿膜面の吻合すべき面全体を残膵断面に密着させる。その際、挿入の深さが吻合器の本体１１の側孔１８の位置が針を放出して吻合を行うのに適当な位置になるようにする。
【００４９】
（ｄ）吻合を行う位置で本体１１の後方を一方の手の指で把持した状態で、吻合器の操作把持部９を他方の手の指で持って手前に引く（抜け止め部材が設けられている場合、予め外しておく）。それにより本体１１の空洞１５内のフランジ５及び押込み部材６が下方に（図７で左方に）移動し、押込み部材６の先端が針２の後面を押す。針２は吻合器への装填の際にガイド部１の形状に従って変形した状態になっているが、押込み部材６の先端で押されながら側孔１８から出る時の形状を保って斜め後方の向きに放物線を描くように放出され、残膵主膵管および実質を突き抜け、残膵断面を経て、密着させた空腸漿筋層から空腸粘膜側に貫通する（図７）。
（ｅ）空腸粘膜側に貫通した針２を持針器で把持し、針２および糸３を誘導する。
（ｆ）吻合器をゆっくり抜去すると、針２および糸３だけが残る（図８）。
【００５０】
（ｇ）針２を糸３から外し、それぞれの糸３の断端を結紮すると、残膵主膵管と空腸全層の吻合が完成する。
（ｈ）最初に作製した小孔を閉鎖する。
以上の（ａ）〜（ｈ）の手順により吻合が行われる。
【００５１】
吻合器による吻合の動作は、上記手順のうち特に（ｄ）の段階であり、（ａ）〜（ｃ）はその前段階、（ｅ）〜（ｈ）は後段階になる。（ｄ）の段階で、操作把持部９を引くことにより針２を吻合器内の位置から空腸粘膜側に貫通させるまで押込むことが必要であり、この動作において針２の進む行程は吻合器の本体１１内の空洞部１５におけるフランジ部５の移動行程に応じたものである。したがって、確実に吻合を行うために、フランジ部５の移動行程、押込み部材６の長さは、針２が吻合の際に最終的に空腸粘膜側に貫通するのを補償するだけのものでなければならない。
【００５２】
すなわち、押込み部材６は、フランジ部５が本体１１内の空洞部１５の下部に当接する段階で、押込み部材６の先端が本体１１の側孔１８より出て針２を空腸粘膜側に貫通させるだけの長さを確保する必要がある。また、押込み部材６は、ガイド部１を通り抜けながらこの針２の押込み動作を行うのに適合する剛性及び柔軟性を有する材料のものとする必要がある。さらに、ガイド部１は、針２が押込み部材６に押込まれながら本体１１の側孔１８から放出されて放物線状の軌道を経て残膵主膵管および実質を突き抜け、残膵断面を経て、密着させた空腸漿筋層から空腸粘膜側に貫通することができるように、滑らかに屈曲した形状とする必要がある。
【００５３】
本発明の吻合器を用いた吻合動作において、結紮は糸３の１本毎に行うことになるが、吻合箇所に針２を貫通させる操作は吻合器に装填された糸３の接続された針２の複数本分だけ同時に行うことができる。例えば、１本毎に針２を貫通させ、８箇所の縫合を行う場合、従来４０分程度の時間を要していたが、本発明の吻合器を用いて８本の針２を同時に貫通させ結紮すれば、３０分以上時間を短縮することができる。
【図面の簡単な説明】
【００５４】
【図１】（ａ）は１本の針を装填する本発明による外科用吻合器における操作部材を実質的に軸方向の断面で示す図である。（ｂ）は１本の針を装填する本発明による外科用吻合器における本体を実質的に軸方向の断面で示す図である。（ｃ）は（ｂ）の本体に（ａ）の操作部材を挿入した状態の外科用吻合器を示す図である。（ｄ）は（ｃ）の状態から、吻合の際に操作部材を後方に引いた状態を示す図である。
【図２】（ａ）は１本の針を装填する本発明による他の形態の外科用吻合器を吻合を行う前の状態で実質的に軸方向の断面で示す図である。（ｂ）は（ａ）の状態から、吻合の際に操作部材を後方に引いた状態を示す図である。
【図３】（ａ）は図１（ｃ）における本体の先端部における針及び針押込み部材の部分を拡大して示したものである。（ｂ）は（ａ）のＢ−Ｂ線上にとった断面を示す図である。（ｃ）は図１（ｃ）におけるＣ−Ｃ線上にとった断面を示す図である。
【図４】（ａ）は複数本の針を装填する本発明による外科用吻合器を実質的に軸方向の断面で示す図である。（ｂ）は複数本の針を装填する本発明による他の形態の外科用吻合器を実質的に軸方向の断面で示す図である。
【図５】（ａ）は複数本の針を装填する他の形態の本発明による外科用吻合器における操作部材を実質的に軸方向の断面で示す図である。（ｂ）は複数本の針を装填する他の形態の本発明による外科用吻合器における本体を実質的に軸方向の断面で示す図である。（ｃ）は（ｂ）の本体において直線Ｄ−Ｄにとった断面図である。（ｄ）は（ａ）に示した操作部材を（ｂ）に示した本体に挿入した吻合器である。
【図６】吻合の際に本発明の吻合器を吻合部位に挿入する状態を示す図である。
【図７】操作把持部を引いて針が吻合部分を貫通した状態を示す図である。
【図８】吻合器を抜去し針を糸から外して糸が残った状態を示す図である。
【符号の説明】
【００５５】
１  ガイド部
２  針
３  糸
４  操作部材
５  フランジ部（支持部材）
６  押込み部材
７  操作杆
８  穴
９  操作把持部
９ａ  抜け止め部材
１１  本体
１２  筒状部
１３  先端部
１４  略円錐形状の面
１５  空洞部
１６  通口
１７  孔
１８  側孔
１９  凹部
【図１】
2007301340.tif 000003
【図２】
2007301340.tif 000004
【図３】
2007301340.tif 000005
【図４】
2007301340.tif 000006
【図５】
2007301340.tif 000007
【図６】
2007301340.tif 000008
【図７】
2007301340.tif 000009
【図８】
2007301340.tif 000010